(57)【特許請求の範囲】
【請求項１】
ロック機構と、前記ロック機構の電気的開放のための電気駆動装置（４、５）とを備える自動車ドアロックにおいて、
前記電気駆動装置（４、５）の補助による前記ロック機構の電気的開放のために、阻止要素（２）を用いて前記電気駆動装置（４、５）の機械的な安全機構を解除する、追加の駆動装置（７、８）が設けられ、
前記阻止要素（２）が阻止レバー（２）であり、
前記追加の駆動装置（７、８）が、接続レバー（９）によって、一方でロックレバー（１０）と機械的に連結され、他方で前記阻止要素（２）と機械的に連結されていることを特徴とする自動車ドアロック。
【請求項２】
前記追加の駆動装置（７、８）が、チャイルドロック用および／または盗難防止装置用の安全駆動装置としても機能することを特徴とする、請求項１に記載の自動車ドアロック。
【請求項３】
前記追加の駆動装置（７、８）が、電気モータ（７）と、被駆動プーリ（８）とを含むことを特徴とする、請求項１または２に記載の自動車ドアロック。
【請求項４】
前記接続レバー（９）が、前記ロックレバー（１０）の凹部に係合するロックボルト（１１）を含むことを特徴とする、請求項１〜３のいずれか一項に記載の自動車ドアロック。
【請求項５】
前記接続レバー（９）が、前記阻止要素（２）の凹部に係合するロックボルト（１２）を含むことを特徴とする、請求項１〜４のいずれか一項に記載の自動車ドアロック。
【請求項６】
前記阻止要素（２）が、安全位置と解除位置とを想定していることを特徴とする、請求項１〜５のいずれか１項に記載の自動車ドアロック。
【請求項７】
前記阻止要素（２）が、阻止ラグ（２ａ）を含み、前記電気駆動装置（４、５）の開放運動を阻止するために、前記阻止要素（２）の安全位置において、前記電気駆動装置（４、５）の停止端（５ａ）を阻止することを特徴とする、請求項１〜６のいずれか１項に記載の自動車ドアロック。
【発明の詳細な説明】
【技術分野】
【０００１】
本発明は、ロック機構と、ロック機構の電気的開放のための電気駆動装置とを備える自動車ドアロックに関する。
【背景技術】
【０００２】
上記の設計に基づく自動車ドアロックは、例えば、本出願人の国際公開第０２／３１２９８号（Ａ１）に開示されている。この先行技術実施形態は、ロック機構の電気的開放を可能にするだけでなく、作動レバーと、ロック機構の緊急開放のためのロック機構との機械的接続も提供している。この関連において、それはいわゆる一時的衝突冗長性（衝突時の一時的機能代替能力）（ＴＣＲ）とも称される。このことは、衝突の場合などのいわゆる緊急操作または緊急開放においても、すなわち作動レバーの補助によって、ロック機構を開放できるのが確保されることを意味する。
【０００３】
電気駆動装置を用いたロック機構の電気的開放は、通常、操作者が、例えば外部ドアハンドルを、またはさらに内部ドアハンドルを作動するような態様で達成される。このことは、通常、開放要求として読み取られ、ロック機構の電気的開放のために電気駆動装置への通電を引き起こすスイッチの作動をもたらす。すでにこの時点で、最初からの不適切な通電を防ぐために、実際の適用において、阻止要素がますます頻繁に利用されている。電気駆動装置は、そのような阻止要素の補助によって機械的に固定される。ロック機構の電気的開放を始動させるために、この例において、外部ドアハンドルまたは内部ドアハンドルは、スイッチが作動されることを確保するだけではない。代わりに、この手順はまた、ロック機構を開放するべく作用することができるように、電気駆動装置を解除する阻止要素にも対応している。このことが満足いくものであったことは広く証明されているが、現時点ではしばしば機械的に複雑な解決法が用いられている。
【発明の概要】
【発明が解決しようとする課題】
【０００４】
このことを根拠に、本発明は、電気的開放のための特に小型で簡素な作動機構が設けられるような態様で、そのような自動車ドアロックをさらに発展させるという技術的課題に基づいている。
【課題を解決するための手段】
【０００５】
この技術的課題を解決するために、本発明の包括的な自動車ドアロックは、電気駆動装置の補助によるロック機構の電気的開放のために、前述の阻止要素によって電気駆動装置の機械的な安全機構を解除する追加の駆動装置が備えられていることを特徴とする。
【０００６】
したがって本発明は、まず第一に、実質的な電気的開放のために電気駆動装置に加えて用いられる追加の駆動装置が設けられる。この追加の駆動装置は、ロック機構の電気的開放のために、それまで咬合されていた機械的な安全機構が解除されることを確保する。電気的開放のために用いられるこの電気駆動装置の機械的な安全機構は、通常、阻止要素が電気駆動装置を固定するような態様で設計される。したがって阻止要素は、通常、軸を中心に枢動され得る阻止レバーである。この阻止レバーは、通常、不適切な通電が起こった際に電気駆動装置を停止させ、関連した作動レバーに作用することのない、少なくとも１つの阻止ラグを含む。
【０００７】
本発明は追加の駆動装置を備えているため、電気的開放は、遠隔制御により問題なく始動され得る。これは、ドアハンドルの機械的作用が（もはや）必要ではないことを意味する。加えて、本発明の自動車ドアロックは、衝突が起こったとき、純粋に機械的な手段で、緊急開放機構によって開放することができる。この目的のために、ロック機構の電気的開放のための駆動装置は、緊急操作中に、作動レバーチェーンが開錠され、それによりドアハンドルの、ロック機構に至るまでの連続した機械的接続がもたらされることを確保する。
【０００８】
さらに有利な実施形態は従属請求項に記載されている。以下に、一実施形態のみを示す図面を参照しながら、本発明について説明する。
【図面の簡単な説明】
【０００９】
【図１】固定位置にある阻止要素と、「ＯＦＦ」位置にある追加の駆動装置とを有する、本発明の自動車ドアロックを示す図。
【図２】追加の駆動装置の「ＯＮ」位置への移行中における、図１の対象を示す図。
【図３】「ＯＮ」位置にある追加の駆動装置と、解除位置にある阻止要素を有する、図２の対象を示す図。
【発明を実施するための形態】
【００１０】
図面は、基本的に回転式ラッチと爪部とを備えた、常のごとく明示されていないロック機構を含む自動車ドアロックを示している。阻止要素すなわち阻止レバー２と共に、ハウジングＧ内の共通の軸３の周りに取り付けられた作動レバー１は、ロック機構に作用する。作動レバー１の、軸３を中心とする回転動作は、ロック機構の開放をもたらす。この目的のために、作動レバー１は、爪部が持ち上げられて関連した回転式ラッチを外れ、その回転式ラッチがばねの補助によって開放されるような態様で、ロック機構の爪部に作用する。
【００１１】
図１に示されるように、電気駆動装置４、５は、作動レバー１の時計方向の動作を始動させるために設けられる。この電気駆動装置４、５は、基本的に電気モータ４と被駆動プーリ５とで構成される。
【００１２】
出力側では、電気モータ４は、その外周上で被駆動プーリ５と咬合するウォームギアを含む。したがって、被駆動プーリ５は、関連する軸６を中心に時計方向および反時計方向に移動することができる。ロック機構の電気的開放は、図１に示されるように、被駆動プーリ５の、軸６を中心とする反時計方向の動作に対応する。この反時計方向の動作は、図１のように頂部から見たとき被駆動プーリ５の下方に配置される曲線部をもたらし、ロック機構を開放するために作動レバー１が前述の軸３を中心とする時計方向の回転を行うような態様で、作動レバー１と相互に作用して前述の手段でそのレバーに作用する。被駆動プーリ５の時計方向の動作は、作動レバーチェーン全体を「開錠する」ことで緊急開放を始動させる。
【００１３】
前述のロック機構の電気的開放のための電気駆動装置４、５に加えて、本発明はさらなる駆動装置７、８も備えている。このさらなる駆動装置７、８は、被駆動プーリ８に作用するもう１つの電気モータ７である。この目的のために、電気モータ７の駆動軸に押し込まれ、または駆動軸に接続され、被駆動プーリ８と咬合するウォームギアが設けられる。この例において、その追加のさらなる駆動装置７、８は、以下に詳細に説明するように、チャイルドロックの駆動装置および／または盗難防止の駆動装置である。
【００１４】
追加の駆動装置７、８の補助により、ロック機構の電気的開放のための電気駆動装置４、５の機械的な安全機構が解除可能になる。この電気駆動装置４、５の機械的な安全機構は、すでに述べた阻止要素２の形で設けられる。操作中、阻止レバー２の形の阻止要素２の阻止ラグ２ａは、ロック機構の電気的開放のための電気駆動装置４、５の被駆動プーリ５と咬合する。
【００１５】
例えば、もし電気駆動装置４、５が不適切に通電され、ロック機構の電気的開放の方向に移動し始めた場合（被駆動プーリ５の反時計方向の動作）は、基本的に図１および２に固定位置で示される阻止要素すなわち阻止レバー２が、電気駆動装置４、５でロック機構を開放することができない状態を確保する。各電気駆動装置４、５の開放動作は、阻止レバー２の阻止ラグ２ａに抗して移動する被駆動プーリ５上の停止端５ａに対応する。このような態様で、ロック機構の開放動作方向の電気駆動装置４、５の動作は停止され、ロック機構が開放されるような態様で電気駆動装置４、５が作動レバー１に作用することが全体としてできなくなる。このような態様で、ロック機構の電気的開放のための、電気駆動装置４、５の不適切な通電はすべて取り消される、またはロック機構の意図しない開放を招かない。
【００１６】
本発明の一部として、阻止レバー２は、例えば、ロック機構の電気的開放のために、電気駆動装置４、５における係合を機械的に解除することができる。この目的のために、阻止レバー２は、阻止レバー２が基本的に図１および２に示される固定位置を離れて図３に示されるような解除位置に移動するように、軸３を中心に時計方向に枢動されるだけでよい。
【００１７】
阻止要素すなわち阻止レバー２のこの基本的に機械的な解除とは別に、本発明は、基本的に遠隔で制御される解除も可能である。このことは追加の駆動装置７、８を用いることで達成される。この追加の駆動装置７、８は、実際、阻止要素２が作用を受けることを確保するだけではない。代わりに、追加の駆動装置２、３も、以下により詳細に説明するように、チャイルドロック用の係合駆動装置または盗難防止装置としても機能する。
【００１８】
本発明に特に重要なのは、追加の駆動装置７、８が機能して阻止要素２に作用できるという事実である。この目的のために、追加の駆動装置７、８は接続レバー９に作用する。本実施形態において、接続レバー９は、一方で後述するロックレバー１０と機械的に連結され、他方で阻止要素すなわち阻止レバー２と機械的に連結される。接続レバー９は実質的にロックレバー１０の凹部に係合するロックボルト１１を含む。接続レバー９はまた、阻止要素または阻止レバー２の凹部に係合する阻止ボルト１２も含む。
【００１９】
追加の駆動装置７、８が、図１に示される「チャイルドロックＯＦＦ」位置から、図２に示される位置を通って、図３に示されるような「チャイルドロックＯＮ」位置に移動する場合、被駆動プーリ８に自在に接続された接続レバー９が、阻止要素すなわち阻止レバー２を、阻止ボルト１２を用いて軸３を中心に時計方向に移動させることを確保する。その結果、阻止要素２たる阻止レバーは、図１に示される係合位置を離れて、図３に示される解除位置に着く。この過程の間、阻止レバー２もスイッチが作動されることを確保して、阻止レバー２の各解除位置を図示されていない制御装置に信号で伝える。このスイッチ１３の信号は、駆動装置４、５のための開放信号として機能する。
【００２０】
追加の駆動装置７、８は、すでに説明したように、チャイルドロック用の安全駆動装置としても機能する。図１に示されるような「チャイルドロックＯＦＦ」位置において、ロックレバー１０は「施錠」位置にある。これとは対照的に、図３による機能的な位置は、「チャイルドロックＯＮ」位置にある追加の駆動装置７、８に対応する。両方の場合において、ロックレバー１０は「施錠」位置にあることが想定されるが、図３に示されるような「解除」位置に枢動されることが可能である。
【００２１】
阻止レバー２がスイッチ１３に作用すると同時に、この信号が制御装置によって、電気駆動装置４、５がロック機構の電気的開放（開放信号）のために作用を受けられるような態様で読み取られる。追加の駆動装置７、８は、図３に示される位置に到着した後、ばねによって戻される。この目的のために、追加の駆動装置７、８の被駆動プーリ８はそれぞれのばねを含む。このばねを用いた復帰動作は図３に矢印で示されており、接続レバー９の図１に示される位置にしたがった基本位置の方向の動作を表している。
【図１】
0006398121.tif 000002
【図２】
0006398121.tif 000003
【図３】
0006398121.tif 000004